(57)【要約】【課題】ソールのバウンス角度だけでなく、バック部の形状も変えることができ、またバウンス角度を何回でも変えることができるアイアン型ゴルフクラブヘッドを提供する。【解決手段】アイアン型ゴルフクラブヘッド１は、フェース面１ｆ及びホゼル部１ｈを有したヘッド本体２と、このヘッド本体２に着脱可能に取り付けられたソールバック体３とで構成されている。凸部２ｄ，２ｄと凹穴３ａ，３ａとを嵌め合いつつ、ソールバック体３をヘッド本体２の後面に係合させ、ボルト挿通孔３ｂを通してボルト４を雌螺子穴２ｅにねじ込むことにより、ソールバック体３がヘッド本体２に固定される。ボルト４を取り外すことにより、ソールバック体３をヘッド本体２から分離することができる。【選択図】図１
2012061095.tif 000002
【特許請求の範囲】
【請求項１】
フェース面及びホゼル部を構成するヘッド本体と、ソール面の少なくとも一部及びバック面の少なくとも一部を構成するソールバック体とが別体であり、
ソールバック体がヘッド本体に対し固定手段によって着脱可能に取り付けられていることを特徴とするアイアン型ゴルフクラブヘッド。
【請求項２】
請求項１において、ソールバック体は、アイアン型ゴルフクラブヘッドのトウ・ヒール方向の少なくとも中央部を構成していることを特徴とするアイアン型ゴルフクラブヘッド。
【請求項３】
請求項２において、アイアン型ゴルフクラブヘッドのソール面におけるソールバック体のトウ・ヒール方向の長さが２５〜８０ｍｍであることを特徴とするアイアン型ゴルフクラブヘッド。
【請求項４】
請求項１ないし３のいずれか１項において、ソールバック体の上部のトウ・ヒール方向の中間部がトウ側及びヒール側よりも低所となっていることを特徴とするアイアン型ゴルフクラブヘッド。
【請求項５】
請求項４において、ソールバック体の上部のトウ・ヒール方向の中間部におけるヘッド本体側の面に、下方に向って凹陥する凹所が設けられていることを特徴とするアイアン型ゴルフクラブヘッド。
【請求項６】
請求項１において、アイアン型ゴルフクラブヘッドのソール面は、トウ側、ヒール側及びフェース部側がヘッド本体のソール面で構成され、これらで囲まれた部分がソールバック体のソール面で構成されていることを特徴とするアイアン型ゴルフクラブヘッド。
【請求項７】
請求項６において、ソールバック体のソール面の少なくとも一部がヘッド本体のソール面よりも下方に突出していることを特徴とするアイアン型ゴルフクラブヘッド。
【請求項８】
請求項６において、ソールバック体のソール面の少なくとも一部がヘッド本体のソール面よりも上方に凹陥していることを特徴とするアイアン型ゴルフクラブヘッド。
【請求項９】
請求項１ないし８のいずれか１項において、ソールバック体のソール面のフェース・バック方向の中間部がフェース側及びバック側よりも下方に突出していることを特徴とするアイアン型ゴルフクラブヘッド。
【請求項１０】
請求項１ないし９のいずれか１項において、前記固定手段はボルトであることを特徴とするアイアン型ゴルフクラブヘッド。
【請求項１１】
請求項１０において、ヘッド本体の背面の一部に凸部が設けられ、ソールバック体の前面に、該凸部が嵌合した凹穴が設けられ、該凹穴からソールバック体の背面にボルト挿通孔が貫通しており、
該ボルト挿通孔に挿通されたボルトが、該凸部に設けられた雌螺子穴にねじ込まれることによりソールバック体がヘッド本体に固定されていることを特徴とするアイアン型ゴルフクラブヘッド。
【発明の詳細な説明】
【技術分野】
【０００１】
本発明は、アイアン型ゴルフクラブヘッドに係り、特にフェース面及びホゼル部を含むヘッド本体と、該ヘッド本体に着脱可能に取り付けられたソールバック体とを有し、ソールバック体を交換することによりソールバウンス角度やソール形状を変更することができるように構成されたアイアン型ゴルフクラブヘッドに関する。
【背景技術】
【０００２】
ソールバウンス角度を調整できるよう構成したアイアン型ゴルフクラブヘッドとして、特開２００９−１１２８００号公報には、ヘッドの背面及びソール部を後方へ傾倒可能としたものが記載されている。同号公報では、その図３の通り、フェース部とプレート状の背面部とがソール部を介して一連一体に連なっており、このプレート状の背面部がソール部（同号公報でヒンジ部と称している部分）を回動中心として後方へ傾倒可能となっている。プレート状の背面部は、ボルトによって所定の傾倒角度にて固定される。
【先行技術文献】
【特許文献】
【０００３】
【特許文献１】特開２００９−１１２８００号公報
【発明の概要】
【発明が解決しようとする課題】
【０００４】
上記特開２００９−１１２８００号公報のアイアン型ゴルフクラブヘッドでは、ソールのバウンス角度は調節可能であるが、ソール形状やバック部の形状は変えることができない。
【０００５】
また、同号公報のアイアン型ゴルフクラブヘッドでは、ソールバウンス角度を複数回変更すると、同号公報でヒンジ部と称しているフェース部とプレート状背面部との連結部分が繰り返し塑性変形することになり、この連結部分に亀裂が入って破断してしまう。
【０００６】
本発明は、ソールのバウンス角度だけでなく、バック部の形状も変えることができ、またバウンス角度を何回でも変えることができるアイアン型ゴルフクラブヘッドを提供することを目的とする。
【課題を解決するための手段】
【０００７】
本発明（請求項１）のアイアン型ゴルフクラブヘッドは、フェース面及びホゼル部を構成するヘッド本体と、ソール面の少なくとも一部及びバック面の少なくとも一部を構成するソールバック体とが別体であり、ソールバック体がヘッド本体に対し固定手段によって着脱可能に取り付けられていることを特徴とするものである。
【０００８】
請求項２のアイアン型ゴルフクラブヘッドは、請求項１において、ソールバック体は、アイアン型ゴルフクラブヘッドのトウ・ヒール方向の少なくとも中央部を構成していることを特徴とするものである。
【０００９】
請求項３のアイアン型ゴルフクラブヘッドは、請求項２において、アイアン型ゴルフクラブヘッドのソール面におけるソールバック体のトウ・ヒール方向の長さが２５〜８０ｍｍであることを特徴とするものである。
【００１０】
請求項４のアイアン型ゴルフクラブヘッドは、請求項１ないし３のいずれか１項において、ソールバック体の上部のトウ・ヒール方向の中間部がトウ側及びヒール側よりも低所となっていることを特徴とするものである。
【００１１】
請求項５のアイアン型ゴルフクラブヘッドは、請求項４において、ソールバック体の上部のトウ・ヒール方向の中間部におけるヘッド本体側の面に、下方に向って凹陥する凹所が設けられていることを特徴とするものである。
【００１２】
請求項６のアイアン型ゴルフクラブヘッドは、請求項１において、アイアン型ゴルフクラブヘッドのソール面は、トウ側、ヒール側及びフェース部側がヘッド本体のソール面で構成され、これらで囲まれた部分がソールバック体のソール面で構成されていることを特徴とするものである。
【００１３】
請求項７のアイアン型ゴルフクラブヘッドは、請求項６において、ソールバック体のソール面の少なくとも一部がヘッド本体のソール面よりも下方に突出していることを特徴とするものである。
【００１４】
請求項８のアイアン型ゴルフクラブヘッドは、請求項６において、ソールバック体のソール面の少なくとも一部がヘッド本体のソール面よりも上方に凹陥していることを特徴とするものである。
【００１５】
請求項９のアイアン型ゴルフクラブヘッドは、請求項１ないし８のいずれか１項において、ソールバック体のソール面のフェース・バック方向の中間部がフェース側及びバック側よりも下方に突出していることを特徴とするものである。
【００１６】
請求項１０のアイアン型ゴルフクラブヘッドは、請求項１ないし９のいずれか１項において、前記固定手段はボルトであることを特徴とするものである。
【００１７】
請求項１１のアイアン型ゴルフクラブヘッドは、請求項１０において、ヘッド本体の背面の一部に凸部が設けられ、ソールバック体の前面に、該凸部が嵌合した凹穴が設けられ、該凹穴からソールバック体の背面にボルト挿通孔が貫通しており、該ボルト挿通孔に挿通されたボルトが、該凸部に設けられた雌螺子穴にねじ込まれることによりソールバック体がヘッド本体に固定されていることを特徴とするものである。
【発明の効果】
【００１８】
本発明のアイアン型ゴルフクラブヘッドは、ヘッド本体とソールバック体とが別体であり、ソールバック体がヘッド本体に対し着脱可能に取り付けられているので、ソールバック体を形状の異なるものに交換することにより、ソールのバウンス角度、ソール形状、バック部形状を種々変更することができる。また、ソールバック体に傷が付いたときに、同一形状のソールバック体に交換することもできる。
【００１９】
本発明は、ソールバック体とヘッド本体とが別体であり、ソールバック体を交換するようにしたものであるので、特開２００９−１１２８００号公報のようにアイアン型ゴルフクラブヘッドの形状変更を繰り返したときにアイアン型ゴルフクラブヘッドに破断が生じたりすることはなく、アイアン型ゴルフクラブヘッドの形状を何通りにでも、また多数回、変えることができる。
【００２０】
ソールバック体は、アイアン型ゴルフクラブヘッドのソール部及びバック部の全体を占めるものであってもよいが、トウ・ヒール方向の中央部のみを占めるものであってもよい。後者の場合、ソールバック体のトウ・ヒール方向の長さは２５〜８０ｍｍ程度であることが好ましい。
【００２１】
ソールバック体の上部のトウ・ヒール方向の中間部に低所や凹所を設けることにより、アイアン型ゴルフクラブヘッドの重心を低くしたり、スイートエリアをトウ・ヒール方向に広げたりすることができる。また、ソールバック体のヘッド本体側の面に凹所を設けることにより、アイアン型ゴルフクラブヘッドの重心深度を深くすることができる。
【００２２】
本発明では、アイアン型ゴルフクラブヘッドのソール面のトウ側、ヒール側及びフェース部側をヘッド本体のソール面で構成し、これらで囲まれた部分をソールバック体のソール面で構成としてもよい。この場合、ソールバック体のソール面の少なくとも一部をヘッド本体のソール面よりも下方に突出させた形状としてもよく、上方に凹陥させた形状としてもよい。
【００２３】
本発明では、ソールバック体のソール面のフェース・バック方向の中間部がフェース側及びバック側よりも下方に突出している構成としてもよい。
【図面の簡単な説明】
【００２４】
【図１】実施の形態に係るアイアン型ゴルフクラブヘッドの後方かつ下方からの斜視図である。
【図２】図１のアイアン型ゴルフクラブヘッドの分解斜視図である。
【図３】図１のIII−III線断面図である。
【図４】図２のIV−IV線断面図である。
【図５】図１のアイアン型ゴルフクラブヘッドのソールバック体の前面側からの斜視図である。
【図６】別の実施の形態に係るアイアン型ゴルフクラブヘッドの断面図である。
【図７】ソールバック体を異ならせたアイアン型ゴルフクラブヘッドの説明図である。
【図８】ソールバック体を異ならせたアイアン型ゴルフクラブヘッドの説明図である。
【図９】異なる実施の形態に係るソールバック体と、アイアン型ゴルフクラブヘッドの説明図である。
【図１０】実施の形態に用いられるソールバック体の説明図である。
【図１１】実施の形態に用いられるソールバック体の説明図である。
【図１２】ソールバック体を異ならせたアイアン型ゴルフクラブヘッドの説明図である。
【図１３】ソールバック体を異ならせたアイアン型ゴルフクラブヘッドの説明図である。
【図１４】ソールバック体を異ならせたアイアン型ゴルフクラブヘッドの説明図である。
【図１５】ソールバック体を異ならせたアイアン型ゴルフクラブヘッドの説明図である。
【図１６】ソールバック体を異ならせたアイアン型ゴルフクラブヘッドの説明図である。
【図１７】実施の形態に係るソールバック体と、アイアン型ゴルフクラブヘッドの説明図である。
【図１８】実施の形態に係るソールバック体と、アイアン型ゴルフクラブヘッドの説明図である。
【発明を実施するための形態】
【００２５】
以下、図面を参照して実施の形態について説明する。
【００２６】
第１図〜第５図は実施の形態に係るアイアン型ゴルフクラブヘッドを示すものであり、第１図はアイアン型ゴルフクラブヘッドの後方かつ下方からの斜視図、第２図はその分解斜視図、第３図は第１図のIII−III線断面図、第４図は第２図のIV−IV線断面図、第５図はソールバック体の前面側からの斜視図である。
【００２７】
このアイアン型ゴルフクラブヘッド１は、ロフト角４０〜６０°程度のウェッジと通称されるものであるが、本発明はロングアイアン、ミドルアイアン、ショートアイアンなど、ロフト角２０〜６０°程度のすべてのアイアン型ゴルフクラブヘッドに適用可能である。このアイアン型ゴルフクラブヘッド１は、フェース面１ｆ及びホゼル部１ｈを有したヘッド本体２と、このヘッド本体２に着脱可能に取り付けられたソールバック体３とで構成されている。ホゼル部１ｈには、ホゼル穴（図示略）が設けられており、ゴルフクラブのシャフト（図示略）が挿入され、接着剤で固着されるよう構成されている。
【００２８】
この実施の形態では、ヘッド本体２にはヒール側（ホゼル部１ｆ側）及びトウ側にそれぞれヒール側膨出部２ａ、トウ側膨出部２ｂが設けられている。ヒール側膨出部２ａ及びトウ側膨出部２ｂの底面は、それぞれアイアン型ゴルフクラブヘッド１のソール面の一部を構成する。ヒール側膨出部２ａ及びトウ側膨出部２ｂの背面２ｈは、アイアン型ゴルフクラブヘッド１のバック面（背面）の一部を構成する。
【００２９】
ヒール側膨出部２ａとトウ側膨出部２ｂとの間は、ヘッド本体２のその他の背面と面一状の平坦面２ｃとなっているが、この平坦面には１個又は複数個の凸部２ｄが設けられている。
【００３０】
凸部２ｄは２個以上設けられることが好ましい。この実施の形態では、凸部２ｄはトウ・ヒール方向に間隔をおいて２個設けられている。各凸部２ｄの背面部には雌螺子穴２ｅが設けられている。
【００３１】
ソールバック体３は、膨出部２ａ，２ｂ間に嵌合する大きさのものである。ソールバック体３の前面は、ヘッド本体２の平坦面２ｃと密着状に重なる平坦面とされており、また凸部２ｄが嵌合する凹穴３ａ（第４，５図）が設けられている。凹穴３ａは凸部２ｄと同数個設けられている。
【００３２】
この凹穴３ａからソールバック体３の背面に貫通するようにボルト挿通孔３ｂが設けられている。凸部２ｄ，２ｄと凹穴３ａ，３ａとを嵌め合いつつ、ソールバック体３をヘッド本体２の後面に係合させ、ボルト挿通孔３ｂを通してボルト４を雌螺子穴２ｅにねじ込むことにより、ソールバック体３がヘッド本体２に固定される。なお、ボルト４を取り外すことにより、ソールバック体３をヘッド本体２から分離することができる。
【００３３】
ソールバック体３をヘッド本体２に固定した状態において、ソールバック体３の背面３ｈはヘッド本体２の膨出部２ａ，２ｂの背面２ｈと面一状の連続面となっており、ソールバック体３のソール面３ｓはヘッド本体２の膨出部２ａ，２ｂのソール面２ｓと面一状の連続面となっている。
【００３４】
通常のウェッジの場合、アイアン型ゴルフクラブヘッド１のソール面におけるソールバック体３のトウ・ヒール方向の長さは、２５〜８０ｍｍ特に４０〜７０ｍｍ程度であることが好ましい。
【００３５】
このように構成されたアイアン型ゴルフクラブヘッドは、ヘッド本体２に対しソールバック体３が着脱可能に取り付けられたものであるので、ソールバック体３を別形状のものに取り換えることにより、ソール部やバック部の形状を種々変更することができ、また、アイアン型ゴルフクラブヘッドの重心の高さや深度を種々変えることができる。
【００３６】
この実施の形態では、ソールバック体３がヘッド本体２の膨出部２ａ，２ｂ間にすっぽり挟まるように配置されると共に、ヘッド本体２の凸部２ｄがソールバック体３の凹穴３ａに嵌合するので、ソールバック体３の固定が堅固である。
【００３７】
この実施の形態では、ソールバック体３の前面がヘッド本体２の背面に重なるので、ソールバック体３の固定が堅固である。なお、第６図のように、ヘッド本体２とソールバック体３との間に合成樹脂、ゴム、エラストマー等よりなるスペーサ５を介在させてもよく、このようにすることによりソールバック体３とヘッド本体２との密着性を高めたり、ショット時（ボールを打った時）の振動を吸収することが可能となる。
【００３８】
第７図〜第１６図を参照して、ソールバック体の別の形状例について説明する。
【００３９】
第７図、第８図は、ソールバック体３の代りにソールバック体３Ａ，３Ｂを備えたアイアン型ゴルフクラブヘッドを示すものであり、各（ａ）図はアイアン型ゴルフクラブヘッドの後方かつ下方からの斜視図、（ｂ）図は各（ａ）図のＢ−Ｂ線断面図、（ｃ）図はソールバック体の前方からの斜視図である。
【００４０】
第７図のアイアン型ゴルフクラブヘッドで用いているソールバック体３Ａは、その上部におけるトウ・ヒール方向の中間部に、トウ側及びヒール側よりも低い低所３ｇを設けたものである。
【００４１】
第８図のソールバック体３Ｂでは、低所３ｇの代りに、下方に凹陥する凹所３ｉをソールバック体３Ｂの前面側に設けている。
【００４２】
ソールバック体３Ａ，３Ｂのその他の構成はソールバック体３と同一であり、同一符号は同一部分を示している。
【００４３】
このように低所３ｇ又は凹所３ｉを設けたことにより、アイアン型ゴルフクラブヘッド１の重心が低くなる。また、アイアン型ゴルフクラブヘッド１の重量も軽減される。さらに、アイアン型ゴルフクラブヘッドのスイートエリアがトウ側及びヒール側に広くなる。凹所３ｉを設けた場合には、アイアン型ゴルフクラブヘッド１の重心深度を深くすることもできる。
【００４４】
第９図（ａ）は、別のソールバック体３Ｃの後方からの斜視図、同（ｂ）はこのソールバック体３Ｃをヘッド本体２に取り付けたアイアン型ゴルフクラブヘッドの第３図と同様部分の断面図である。
【００４５】
このソールバック体３Ｃは、ソール面が前縁側ソール面３ｊと後縁側ソール面３ｋとの２面よりなり、両者が下方に向って凸となるように交わっている。
【００４６】
第９図（ｂ）において、ソール面３ｊ，３ｋの交差角度は好ましくは９０°以上１８０°未満、特に好ましくは１２０〜１６０°程度である。
【００４７】
このようにソール面が下方に向って凸になっていると、ダフったとき（ボールよりも手前の地面等を打ったとき）にソールが芝の上を滑り易くなるので、ミスの度合いを軽減できる。また、エクスプロージョンによるバンカーショットが易しくなる。
【００４８】
第９図のソールバック体３Ｃでは、前縁側ソール面３ｊと後縁側ソール面３ｋとの交叉線がソールバック体３Ｃのヒール側からトウ側まで延在しており、ソール面は全体として切妻屋根形となっているが、第１０図のソールバック体３Ｄのようにソール面は寄せ棟形となっていてもよい。このソールバック体３Ｄのソール面は、４面の斜面状のソール面３ｍ，３ｎ，３ｐ，３ｑにて構成されている。ヒール側ソール面３ｍ及びトウ側ソール面３ｎは三角形状であり、前縁側ソール面３ｐ及び後縁側ソール面３ｑは略台形である。前縁側ソール面３ｐと後縁側ソール面３ｑとは稜線３ｔにおいて交わっている。
【００４９】
三角形状のソール面３ｍ，３ｎの頂点は、この稜線３ｔの両端に位置している。稜線３ｔの長さは、ソールバック体３Ｄのトウ・ヒール方向の長さの１０〜８０％特に５０〜７０％程度が好適である。
【００５０】
ソールバック体３Ｃ，３Ｄのその他の構成はソールバック体３と同一であり、同一符号は同一部分を示している。
【００５１】
第１１図はソールバック体３Ｅの後方からの斜視図である。このソールバック体３Ｅのソール面は円弧形の凸盤部３ｖを備えている。凸盤部３ｖは、ソールバック体３Ｅの前縁下端を弦とする円弧状であり、ソール面の後方ほど凸盤部３ｖの厚みが大となっている。凸盤部３ｖよりもヒール側及びトウ側はヘッド本体２のソール面２ｓと面一状の平坦面３ｕとなっている。
【００５２】
ソールバック体３Ｅのその他の構成はソールバック体３と同一であり、同一符号は同一部分を示している。このソールバック体３Ｅを備えたアイアン型ゴルフクラブヘッドは、第１図〜第５図のアイアン型ゴルフクラブヘッドに比べてバウンス角が大きく、バンカーショットに好適である。また、このソールバック体３Ｅを備えたアイアン型ゴルフクラブヘッドを、フェースを開いて（オープンフェースにして）アドレスしたときに、ヒール側のソール面にあっては凸盤部３ｖよりもヒール側の平坦面３ｕが地面に接することになる。このため、フェース面が全体として地面に近接してに存在することになり、リーディングエッジをボールと地面との間に打ち込み易くなる。そのため、フェースを開いてロフト角を大きくして打つショット（例えばロブショット）が易しくなる。
【００５３】
第１２図の（ａ）図はソールバック体３Ｆをヘッド本体２に取り付けたアイアン型ゴルフクラブヘッド１の後方かつ下方からの斜視図、（ｂ）図はソールバック体３Ｆの後方かつ下方からの斜視図、（ｃ）図はソールバック体３Ｆの側面図である。
【００５４】
このソールバック体３Ｆのソール面は、トウ側及びヒール側がヘッド本体２のソール面２ｓと面一状の平坦面３ｙとなっており、該平坦面３ｙ，３ｙ同士の間が下方へ突出する凸盤部３ｗとなっている。凸盤部３ｗは、前縁側の辺と後縁側の辺とが略平行な台形状である。この台形は、前縁側の辺長が後縁側の辺長よりも短い形状のものとなっている。凸盤部３ｗは後方ほど厚みが大となっている。
【００５５】
ソールバック体３Ｆのその他の構成はソールバック体３と同一であり、同一符号は同一部分を示している。このソールバック体３Ｆも、ソール面の凸盤部３ｗよりもヒール側に平坦面３ｙを有するので、第１１図のソールバック体３Ｅと同様の効果が得られる。
【００５６】
第１３図の（ａ）図はソールバック体３Ｇをヘッド本体２に取り付けたアイアン型ゴルフクラブヘッド１の後方かつ下方からの斜視図、（ｂ）図はソールバック体３Ｇの後方かつ下方からの斜視図である。
【００５７】
このソールバック体３Ｇにあっては、ソール面３ｓ’が上方に向って凹陥する凹曲面となっている。ソール面３ｓ’は、フェース・バック方向（飛球線の後方延長方向）の断面が略円弧形となっている。
【００５８】
ソールバック体３Ｇのその他の構成はソールバック体３と同一であり、同一符号は同一部分を示している。このソールバック体３Ｇを備えたアイアン型ゴルフクラブヘッドは、ショット時におけるソール面と地面又は砂との間の抵抗が小さい。
【００５９】
第１４図のアイアン型ゴルフクラブヘッド１’は、ヘッド本体２’の下端後面にフック部６を突設し、ソールバック体３Ｈの前端下縁に該フック部２ｆが係合する凹部よりなる係合部７を設けたものである。
【００６０】
フック部６はアイアン型ゴルフクラブヘッド１’のソール面の一部を形成するように後方に延出している。ソールバック体３Ｈは、凹部７をフック部６に係合させるようにしてヘッド本体２’に重ね合わされ、ボルト４（第１４図では図示略）によって固定される。
【００６１】
アイアン型ゴルフクラブヘッド１’のその他の構成はアイアン型ゴルフクラブヘッド１と同一であり、同一符号は同一部分を示している。このアイアン型ゴルフクラブヘッド１’によると、ソールバック体３Ｈの固定が堅固となる。
【００６２】
第１５図は、ヘッド本体２''の後面上縁にフック部８を設け、ソールバック体３Ｉに上方延出部９を設け、この上方延出部９の上端をフック部８に差し込むようにして係合させたアイアン型ゴルフクラブヘッド１''を示すものであり、（ａ）図はアイアン型ゴルフクラブヘッド１''の後方かつ下方からの斜視図、（ｂ）図は（ａ）図のＢ−Ｂ線断面図である。
【００６３】
フック部８は、ヘッド本体２''のフェース面上縁から後方へ突設されている。このフック部８は、（ｂ）図の通り、フェース・バック方向の縦断面形状が逆Ｌ字形である。
【００６４】
第１６図（ａ）は、ソールバック体３Ｊを備えたアイアン型ゴルフクラブヘッド１'''の後方かつ下方からの斜視図、同（ｂ）は同（ａ）のＢ−Ｂ線断面図である。
【００６５】
このアイアン型ゴルフクラブヘッド１'''のヘッド本体２'''には、トウ側及びヒール側の膨出部２ａ，２ｂの上端同士をつなぐようにフック部１０が設けられている。ソールバック体３Ｊの上縁部には、このフック部１０が係合する凹部１１が設けられている。
【００６６】
この第１６図では、フック部１０は膨出部２ａ，２ｂ間に連続して延設されているが、膨出部２ａ，２ｂ間の一部にのみ設けられてもよい。
【００６７】
アイアン型ゴルフクラブヘッド１’’、１’’’のその他の構成はアイアン型ゴルフクラブヘッド１と同一であり、同一符号は同一部分を示している。これらのアイアン型ゴルフクラブヘッド１’’、１’’’においてもソールバック体の取り付けが堅固である。
【００６８】
上記実施の形態はいずれも本発明の一例であり、本発明は図示以外の形態とされてもよい。例えば、ソールバック体を磁石によってヘッド本体に固定してもよい。
【００６９】
上記説明では、ウェッジが図示されているが、前述の通り、本発明はロングアイアン、ミドルアイアン、ショートアイアンなどのいずれのアイアン型ゴルフクラブヘッドにも適用可能である。第１７図はミドルアイアンの場合のアイアン型ゴルフクラブヘッド１Ｍを示すものであり、（ａ）図は後方かつ若干下方からの斜視図、（ｂ）図は（ａ）図のＢ−Ｂ線断面図である。
このアイアン型ゴルフクラブヘッド１Ｍは、前述の各アイアン型ゴルフクラブヘッドよりもロフトが立っている。このアイアン型ゴルフクラブヘッドのソールバック体３Ｍには、第７図のソールバック体３Ａと同様の低所３ｇが設けられているが凹所３ｉが設けられてもよい。このソールバック体３Ｍのソール面３ｓにはタングステン、タングステン合金などの高比重材よりなるウェイト材１７が埋め込まれ、アイアン型ゴルフクラブヘッドの重心を低くしている。このアイアン型ゴルフクラブヘッドのその他の構成は第１図と同様であり、同一符号は同一部分を示している。
【００７０】
ウェイト材１７はカシメなどによりソールバック体に固着されているが、ソールバック体に雌ねじ穴を設け、高比重材製のビスを該雌ねじ穴にねじ込んで取り付けてもよい。この場合、比重の異なるビスに交換することにより、ヘッドの重量調整を行うことができる。
【００７１】
第１８図のアイアン型ゴルフクラブヘッド１Ｍ’は、ウェイト材１７を省略し、代りにソールバック体３Ｍ’のソール部３ｓの幅を大きくし、重心を低くするようにしたものである。第１８図（ａ），（ｂ）のその他の構成は第１７図（ａ），（ｂ）と同一であり、同一符号は同一部分を示している。
【符号の説明】
【００７２】
１，１’，１''，１'''，１Ｍ，１Ｍ’  アイアン型ゴルフクラブヘッド
１ｆ  フェース面
１ｈ  ホゼル部
２，２’，２''，２'''  ヘッド本体
２ａ，２ｂ  膨出部
２ｓ  ソール面
３，３Ａ〜３Ｊ，３Ｍ，３Ｍ’  ソールバック体
３ｂ  ボルト挿通孔
３ｇ  低所
３ｉ  凹所
３ｓ，３ｓ’  ソール面
４  ボルト
５  スペーサ
６，８，１０  フック部
１７  ウェイト材
【図１】
2012061095.tif 000003
【図２】
2012061095.tif 000004
【図３】
2012061095.tif 000005
【図４】
2012061095.tif 000006
【図５】
2012061095.tif 000007
【図６】
2012061095.tif 000008
【図７】
2012061095.tif 000009
【図８】
2012061095.tif 000010
【図９】
2012061095.tif 000011
【図１０】
2012061095.tif 000012
【図１１】
2012061095.tif 000013
【図１２】
2012061095.tif 000014
【図１３】
2012061095.tif 000015
【図１４】
2012061095.tif 000016
【図１５】
2012061095.tif 000017
【図１６】
2012061095.tif 000018
【図１７】
2012061095.tif 000019
【図１８】
2012061095.tif 000020